(57)【特許請求の範囲】
【請求項１】
ワイヤレス通信システム（１００）の送信パラメータを適応させる方法（１０００）であって、
多重データストリーム（１６０，１７０）の現在の同時送信に参加している複数のワイヤレスノード（１２０ｄ、１２０ｅ）のうちの１つのワイヤレスノード（１２０ｄ）でメッセージを受信すること（１０１０）と、ここにおいて、前記メッセージは、前記１つのワイヤレスノード（１２０ｄ）のための割り当てを決定するために使用可能な少なくとも１つの現在のロスパラメータを含み、前記現在のロスパラメータは、少なくとも空間ストリームの数と現在の同時送信のために割り当てられたワイヤレスノードの数とを備える、
前記少なくとも１つの現在のロスパラメータの少なくとも一部に基づいて前記現在の同時送信に対する前記１つのワイヤレスノード（１２０ｄ）のための現在の送信パラメータ（４１０）を決定すること（１０３０）と、
前記現在の送信パラメータ（４１０）に従う前記現在の同時送信のための少なくとも１つのデータストリーム（１６０）を前記１つのワイヤレスノード（１２０ｄ）から送信すること（１０４０）と
を備える、方法（１０００）。
【請求項２】
前記現在の送信パラメータ（４１０）を前記決定すること（１０３０）は、
前の送信のための少なくとも１つの前のロスパラメータの検索すること（５１０）と、
前記前の送信のための前の送信パラメータ（４３０）を検索すること（５２０）と、
前記前の送信パラメータ（４３０）、前記少なくとも１つの前ロスパラメータ、および前記少なくとも１つの現在のロスパラメータに基づいて前記現在の送信パラメータ（４１０）を決定すること（５３０）と
を含む、請求項１に記載の方法（１０００）。
【請求項３】
前記現在の送信パラメータ（４１０）を前記決定することは、
前記前の送信パラメータとして現在の送信パラメータを記憶すること（５５０）と、
前記前のロスパラメータとして前記少なくとも１つの現在のロスパラメータを記憶すること（５４０）と
を含む、請求項２に記載の方法（１０００）。
【請求項４】
前記現在の送信パラメータは、変調および符号化方式（ＭＣＳ）および送信電力レベルの何れかである、
請求項１に記載の方法（１０００）。
【請求項５】
前記現在の送信パラメータの前記決定すること（１０３０）は、
前の送信のための少なくとも１つの前ロスパラメータの検索すること（６１０）と、
前記前の送信に対する前の信号対雑音比（ＳＮＲ）を検索すること（６２０）と、
前記前のＳＮＲ、前記少なくとも１つの前のロスパラメータ、および前記少なくとも１つの現在のロスパラメータに基づいて現在のＳＮＲの決定すること（６３０）と、
前記現在のＳＮＲに基づいて前記現在の送信パラメータ（４１０）を決定すること（６４０）と
を含む、請求項１に記載の方法（１０００）。
【請求項６】
前記メッセージは、送信可能メッセージ（ＣＴＸ）および送信スタートメッセージ（ＴＸＳ）の何れかである、
請求項１に記載の方法（１０００）。
【請求項７】
前記少なくとも１つの現在のロスパラメータは、
前記１つのワイヤレスノードに割り当てられた空間ストリーム（ＳＳ）の総数、
前記複数のワイヤレスノードに割り当てられた空間ストリームの総数、
前記複数ワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記ワイヤレスノードに割り当てられた信号対雑音比（ＳＮＲ）オフセット値
の何れかである、請求項１に記載の方法（１０００）。
【請求項８】
前の送信に関連したパケットロスを決定すること（１１１０）と、
前記前の送信のための前記パケットロスの少なくとも一部に基づいて前記現在の同時送信のための前記現在の送信パラメータ（４１０）を決定すること（１１２０）と
をさらに備える、請求項１に記載の方法（１０００）。
【請求項９】
ワイヤレス通信システム（９００）における送信パラメータを適応させる方法（９００）であって、
複数のワイヤレスノード（１２０ｄ、１２０ｅ）から多重データストリーム（１６０，１７０）の現在の同時送信のための少なくとも１つの現在のロスパラメータを決定すること（９１０）と、ここにおいて、前記現在のロスパラメータは、少なくとも空間ストリームの数と現在の同時送信のために割り当てられたワイヤレスノードの数を備える
前記複数ワイヤレスノード（１２０ｄ，１２０ｅ）のうちの１つのワイヤレスノード（１２０ｄ）に前記少なくとも１つの現在のロスパラメータを含むメッセージを送信すること（９３０）と、ここにおいて、前記メッセージは、前記１つのワイヤレスノード（１２０ｄ）の割り当てを決定するために使用することができる、
前記１つのワイヤレスノード（１２０ｄ）から少なくとも１つのデータストリーム（１６０）を受信すること（９４０）と
を備え、少なくとも１つの現在の送信パラメータ（４１０）に従って受信された前記少なくとも１つのデータストリーム（１６０）は、前記現在のロスパラメータからの少なくとも一部に基づいて前記１つのワイヤレスノード（１２０ｄ）で決定される、
方法（９００）。
【請求項１０】
前記メッセージは、送信可能メッセージ（ＣＴＸ）および送信スタートメッセージ（ＴＸＳ）のうちの何れかである、
請求項９に記載の方法（９００）。
【請求項１１】
前記少なくとも１つの現在のロスパラメータは、
前記１つのワイヤレスノードに割り当てられた空間ストリーム（ＳＳ）の総数、
前記複数のワイヤレスノードに割り当てられた空間ストリーム（ＳＳ）の総数、
前記複数のワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記１つのワイヤレスノードに割り当てられた信号対雑音比（ＳＮＲ）オフセット値、
のうちの何れかである、請求項９に記載の方法（９００）。
【請求項１２】
ワイヤレス通信システム（１００）の送信パラメータを適応させる方法（８００）であって、
複数のアクセス端末（１２０ｄ，１２０ｅ）のうちの１つのアクセス端末（１２０ｄ）から少なくとも１つの前の送信に対するパケットロスの指示を受信すること（８０５）と、
現在のロスパラメータを決定すること（８１０）と、ここにおいて、前記現在のロスパラメータは、前記複数のアクセス端末（１２０ｄ，１２０ｅ）への多重データストリーム（１４０，１５０）の現在の同時送信に対する前記１つのアクセス端末（１２０ｄ）のための割り当てを決定するために使用可能であり、前記現在のロスパラメータは、少なくとも空間ストリームの数と現在の同時送信のために割り当てられたワイヤレスノードの数とを備える、
前記現在のロスパラメータおよび前記パケットロスの指示の少なくとも一部に基づいて前記現在の同時送信のための現在の送信パラメータ（４１０）を決定すること（８２０）と、
前記現在の送信パラメータ（４１０）に従って前記１つのアクセス端末（１２０ｄ）へ少なくとも１つのデータストリーム（１４０）を送信すること（８３０）と
を備える、方法（８００）。
【請求項１３】
前記現在の送信パラメータの前記決定は、
前の送信のための少なくとも１つの前のロスパラメータを検索すること（５１０）と、
前記前の送信のための前の送信パラメータ（４３０）を検索すること（５２０）と、
前記前の送信パラメータ（４３０）、前記少なくとも１つの前のロスパラメータ、および前記少なくとも１つの現在のロスパラメータに基づいて前記現在の送信パラメータ（４１０）を決定すること（５３０）と
を含む、請求項１２に記載の方法（８００）。
【請求項１４】
前記現在の送信パラメータを前記決定することは、
前記前の送信パラメータとして前記現在の送信パラメータを記憶すること（５５０）と、
前記前のロスパラメータとして前記少なくとも１つの現在のロスパラメータを記憶すること（５４０）と
を含む、請求項１３に記載の方法（８００）。
【請求項１５】
前記現在の送信パラメータは、変調および符号化方式（ＭＣＳ）および送信電力レベルの何れかである、
請求項１２に記載の方法（８００）。
【請求項１６】
前記現在の送信パラメータを決定することは、
前の送信のための少なくとも前１つのロスパラメータを検索すること（６１０）と、
前記前の送信に対する前の信号対雑音比（ＳＮＲ）を検索すること（６２０）と、
前記前のＳＮＲ、前記少なくとも１つの前のロスパラメータ、および前記少なくとも１つの現在のロスパラメータに基づいて現在のＳＮＲを決定すること（６３０）と、
前記現在のＳＮＲに基づいて前記現在の送信パラメータ（４１０）を決定すること（６４０）と
を含む、請求項１２に記載の方法（８００）。
【請求項１７】
前記少なくとも１つの現在のロスパラメータは、
前記１つのアクセス端末に割り当てられた空間ストリーム（ＳＳ）の総数、
前記複数のアクセス端末に割り当てられた空間ストリーム（ＳＳ）の総数、
前記複数のアクセス端末の各ワイヤレスノードに割り当てられた送信電力バックオフ、
前記複数のアクセス端末の各ワイヤレスノードに割り当てられた送信電力値、
前記１つのアクセス端末に割り当てられた送信電力バックオフ、
前記１つのアクセス端末に割り当てられた送信電力値、
前記現在の同時送信のために割り当てられたアクセス端末の総数、
前記１つのアクセス端末に割り当てられた信号対雑音比（ＳＮＲ）オフセット値、
のうちの何れかである、請求項１２に記載の方法（８００）。
【請求項１８】
多重データストリーム（１６０，１７０）の現在の同時送信に参加している複数のワイヤレスノード（１２０ｄ、１２０ｅ）のうちの１つのワイヤレスノード（１２０ｄ）でメッセージを受信（１３１０）し、ここにおいて、前記メッセージは、前記１つのワイヤレスノード（１２０ｄ）のための割り当てを決定するために使用可能な少なくとも１つの現在のロスパラメータを含み、前記現在のロスパラメータは、少なくとも空間ストリームの数と現在の同時送信のために割り当てられたワイヤレスノードの数とを備える、
現在の送信パラメータ（４１０）に従う前記現在の同時送信のための少なくとも１つのデータストリーム（１６０）を前記１つのワイヤレスノード（１２０ｄ）から送信（１３３０）する
ように構成された少なくとも１つのアンテナ（２５２ｄａ−２５２ｄｕ）と、
前記少なくとも１つの現在のロスパラメータの少なくとも一部に基づいて前記現在の同時送信に対する前記１つのワイヤレスノード（１２０ｄ）のための前記現在の送信パラメータ（４１０）を決定するための手段（１３２０）と
を備える、装置（１３００）。
【請求項１９】
前記現在の送信パラメータを決定することは、
前の送信のための少なくとも１つの前のロスパラメータの検索すること（５１０）と、
前記前の送信のための前の送信パラメータ（４３０）を検索すること（５２０）と、
前記前の送信パラメータ（４３０）、前記少なくとも１つの前ロスパラメータ、および前記少なくとも１つの現在のロスパラメータに基づいて前記現在の送信パラメータ（４１０）を決定すること（５３０）と
を含む、請求項１８に記載の装置（１３００）。
【請求項２０】
前記現在の送信パラメータを決定することは、
前記前の送信パラメータとして現在の送信パラメータを記憶すること（５５０）と、
前記前のロスパラメータとして前記少なくとも１つの現在のロスパラメータを記憶すること（５４０）と
を含む、請求項１９に記載の装置（１３００）。
【請求項２１】
前記現在の送信パラメータの決定することは、
前の送信のための少なくとも１つの前ロスパラメータの検索すること（６１０）と、
前記前の送信に対する前の信号対雑音比（ＳＮＲ）を検索すること（６２０）と、
前記前のＳＮＲ、前記少なくとも１つの前のロスパラメータ、および前記少なくとも１つの現在のロスパラメータに基づいて現在のＳＮＲの決定すること（６３０）と、
前記現在のＳＮＲに基づいて前記現在の送信パラメータ（４１０）を決定すること（６４０）と
を含む、請求項１８に記載の装置（１３００）。
【請求項２２】
前記メッセージは、送信可能メッセージ（ＣＴＸ）および送信スタートメッセージ（ＴＸＳ）の何れかである、
請求項１８に記載の装置（１３００）。
【請求項２３】
前記少なくとも１つの現在のロスパラメータは、
前記１つのワイヤレスノードに割り当てられた空間ストリーム（ＳＳ）の総数、
前記複数のワイヤレスノードに割り当てられた空間ストリームの総数、
前記複数ワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記ワイヤレスノードに割り当てられた信号対雑音比（ＳＮＲ）オフセット値
の何れかである、請求項１８に記載の装置（１３００）。
【請求項２４】
ワイヤレス通信システム（１００）の送信パラメータを適応させる装置（１２００）であって、
複数のワイヤレスノード（１２０ｄ、１２０ｅ）から多重データストリーム（１６０，１７０）の現在の同時送信のための少なくとも１つの現在のロスパラメータを決定するための手段（１２１０）と、ここにおいて、前記現在のロスパラメータは、少なくとも空間ストリームの数と現在の同時送信のために割り当てられたワイヤレスノードの数とを備える、
前記複数ワイヤレスノード（１２０ｄ，１２０ｅ）のうちの１つのワイヤレスノード（１２０ｄ）に前記少なくとも１つの現在のロスパラメータを含むメッセージを送信（１２２０）し、ここにおいて、前記メッセージは、前記１つのワイヤレスノード（１２０ｄ）の割り当てを決定するために使用することができる、
前記１つのワイヤレスノード（１２０ｄ）から少なくとも１つのデータストリーム（１６０）を受信（１２３０）する
ように構成された少なくとも１つのアンテナ（２２４ａ−２２４ａｐ）と
を備え、現在の送信パラメータ（４１０）に従って受信された前記少なくとも１つのデータストリームは、前記現在のロスパラメータからの少なくとも一部に基づいて前記１つのワイヤレスノード（１２０ｄ）で決定される、
装置（１２００）。
【請求項２５】
前記メッセージは、送信可能メッセージ（ＣＴＸ）および送信スタートメッセージ（ＴＸＳ）のうちの何れかである、
請求項２４に記載の装置（１２００）。
【請求項２６】
前記少なくとも１つの現在のロスパラメータは、
前記１つのワイヤレスノードに割り当てられた空間ストリーム（ＳＳ）の総数、
前記複数のワイヤレスノードに割り当てられた空間ストリーム（ＳＳ）の総数、
前記複数のワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記１つのワイヤレスノードに割り当てられた信号対雑音比（ＳＮＲ）オフセット値、
のうちの何れかである、請求項２４記載の装置（１２００）。
【請求項２７】
命令を備える、ワイヤレス通信システム（１００）の送信パラメータを適応するためのコンピュータプログラムであって、
前記命令は、１つまたは複数のプロセッサ（１４０４）によって実行され、
多重データストリーム（１６０，１７０）の現在の同時送信に参加している複数のワイヤレスノード（１２０ｄ、１２０ｅ）のうちの１つのワイヤレスノード（１２０ｄ）でメッセージを受信（１０１０）し、ここにおいて、前記メッセージは、前記１つのワイヤレスノード（１２０ｄ）のための割り当てを決定するために使用可能な少なくとも１つの現在のロスパラメータを含み、前記現在のロスパラメータは、少なくとも空間ストリームの数と現在の同時送信のために割り当てられたワイヤレスノードの数とを備え、
前記少なくとも１つの現在のロスパラメータの少なくとも一部に基づいて前記現在の同時送信に対する前記１つのワイヤレスノード（１２０ｄ）のための現在の送信パラメータ（４１０）を決定（１０３０）し、
前記現在の送信パラメータ（４１０）に従う前記現在の同時送信のための少なくとも１つのデータストリーム（１６０）を前記１つのワイヤレスノード（１２０ｄ）から送信（１０４０）する
ための命令を備える、コンピュータプログラム。
【請求項２８】
前記現在の送信パラメータを決定するための命令は、
前の送信のための少なくとも１つの前のロスパラメータの検索（５１０）し、
前記前の送信のための前の送信パラメータ（４３０）を検索（５２０）し、
前記前の送信パラメータ（４３０）、前記少なくとも１つの前ロスパラメータ、および前記少なくとも１つの現在のロスパラメータに基づいて前記現在の送信パラメータ（４１０）を決定（５３０）する
ための命令を含む、請求項２７に記載のコンピュータプログラム。
【請求項２９】
前記現在の送信パラメータを決定するための前記命令は、
前記前の送信パラメータとして前記現在の送信パラメータを記憶（５５０）し、
前記前のロスパラメータとして前記少なくとも１つの現在のロスパラメータを記憶（５４０）する
ための命令を含む、請求項２８に記載のコンピュータプログラム。
【請求項３０】
前記メッセージは、送信可能メッセージ（ＣＴＸ）および送信スタートメッセージ（ＴＸＳ）の何れかである、
請求項２７に記載のコンピュータプログラム。
【請求項３１】
前記現在の送信パラメータは、変調および符号化方式（ＭＣＳ）、および送信電力レベルの何れかである、
請求項２７に記載のコンピュータプログラム。
【請求項３２】
前記少なくとも１つの現在のロスパラメータは、
前記１つのワイヤレスノードに割り当てられた空間ストリーム（ＳＳ）の総数、
前記複数のワイヤレスノードに割り当てられた空間ストリームの総数、
前記複数ワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記ワイヤレスノードに割り当てられた信号対雑音比（ＳＮＲ）オフセット値
の何れかである、請求項２７に記載のコンピュータプログラム。
【請求項３３】
前の送信に関連したパケットロスを決定（１１１０）し、
前記前の送信のための前記パケットロスの少なくとも一部に基づいて前記現在の同時送信のための前記現在の送信パラメータ（４３０）を決定（１１２０）する
ための命令をさらに備える、請求項２７に記載のコンピュータプログラム。
【請求項３４】
その上に格納された命令を有するコンピュータ可読媒体（１４０６）を備える、ワイヤレス通信システム（１００）の送信パラメータを適応するためのコンピュータプログラムであって、
前記命令は、１つまたは複数のプロセッサ（１４０４）によって実行され、
複数のワイヤレスノード（１２０ｄ、１２０ｅ）から多重データストリーム（１６０，１７０）の現在の同時送信のための少なくとも１つの現在のロスパラメータを決定（９１０）し、前記現在のロスパラメータは、少なくとも空間ストリームの数と現在の同時送信のために割り当てられたワイヤレスノードの数とを備え、
前記複数ワイヤレスノード（１２０ｄ，１２０ｅ）のうちの１つのワイヤレスノード（１２０ｄ）に前記少なくとも１つの現在のロスパラメータを含むメッセージを送信（９３０）し、ここにおいて、前記メッセージは、前記１つのワイヤレスノード（１２０ｄ）の割り当てを決定するために使用することができる、
前記１つのワイヤレスノード（１２０ｄ）から少なくとも１つのデータストリーム（１６０）を受信（９４０）する
ための命令を備え、現在の送信パラメータ（４１０）に従って受信された前記少なくとも１つのデータストリーム（１６０）は、前記現在のロスパラメータからの少なくとも一部に基づいて前記１つのワイヤレスノード（１２０ｄ）で決定される、
コンピュータプログラム。
【請求項３５】
前記メッセージは、送信可能メッセージ（ＣＴＸ）および送信スタートメッセージ（ＴＸＳ）のうちの何れかである、
請求項３４に記載のコンピュータプログラム。
【請求項３６】
前記少なくとも１つの現在のロスパラメータは、
前記１つのワイヤレスノードに割り当てられた空間ストリーム（ＳＳ）の総数、
前記複数のワイヤレスノードに割り当てられた空間ストリーム（ＳＳ）の総数、
前記複数のワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記１つのワイヤレスノードに割り当てられた信号対雑音比（ＳＮＲ）オフセット値、
のうちの何れかである、請求項３４に記載のコンピュータプログラム。
【発明の詳細な説明】
【関連出願】
【０００１】
米国特許法第１１９条に基づく優先権の主張  
本出願は、２０１０年３月９日に出願された、「Ｒａｔｅ  Ａｄａｐｔａｔｉｏｎ  ｆｏｒ  ＳＤＭＡ」という表題の米国特許仮出願第６１／３１２，１１９号の利益を主張するものであり、上記の出願は参照によってその全体が本明細書に明示的に組み込まれる。
【技術分野】
【０００２】
以下の説明は、概して通信システムに関し、特に、ワイヤレスネットワーク内の複数ユーザのアップリンク通信に関する。
【背景技術】
【０００３】
ワイヤレス通信システムの帯域幅要件を増やすことに取り組むために、異なるスキームは、高いデータスループットを達成しながらチャネルリソースを共有することにより、単一アクセスポイントと複数のアクセス端末が通信することを可能にするように発展されている。多入力または多出力（ＭＩＭＯ）技術は、次世代通信システムの普及した技術として最近勃興したあるこのようなアプローチを表す。ＭＩＭＯ技術は、米国電気電子学会（ＩＥＥＥ）８０２．１１標準のようないくつかの新興の無線通信標準で採用されている。ＩＥＥＥ８０２．１１は、短距離通信（例えば、数十メートルから数百メートル）のために  ＩＥＥＥ８０２．１１委員会によって発展された１セットのワイヤレスローカルエリアネットワーク（ＷＬＡＮ）の無線インタフェース標準を表す。
【０００４】
ワイヤレス通信システムでは、媒体アクセス（ＭＡＣ）プロトコルは、無線リンク媒体によって提供されるいくつかの自由度の次元を有効に利用する使うために動作するように設計される。最も共通に利用される自由度の次元は、時間と周波数である。例えば、ＩＥＥＥ８０２．１１ＭＡＣプロトコルにおいて、自由度の次元「時間」は、ＣＳＭＡ（キャリアセンス多元接続）プロトコルを通じて利用される。ＣＳＭＡプロトコルは、潜在的に高い干渉がある期間の間に１つ以上の送信が生じないということを確実にするように試みる。同様に、自由度の次元「周波数」は、異なる周波数チャネルを使用することによって利用されることができる。 
最近の発展は、現在の容量を増加あるいは少なくともより効率的に利用するために利用されるべき次元として空間が導入された。空間分割多元接続（ＳＤＭＡ）は、同時の送受信に対する多元接続端末をスケジューリングすることによって、無線リンクの利用を改善することができる。データは、空間ストリームを使用して端末のそれぞれに対して送られる。例えば、ＳＤＭＡを用いて、送信機は、個々の受信機に対して直交ストリームを形成する。送信機がいくつかのアンテナを有し、送信／受信チャネルがいくつかのパスを含むため、このような直交ストリームが形成されることができる。受信機は、さらに１つまたは複数のアンテナ（ＭＩＭＯ、ＳＩＭＯ）を有しうる。この例については、送信機がアクセスポイント（ＡＰ）であり、受信機がアクセス端末（ＡＴ）であると仮定される。ＡＴ−Ｂをターゲットにしたストリームが例えば、他のアクセス端末（例えばＡＴ−Ｃ、ＡＴ−Ｄ．．．、など）で低電力干渉と見なされるように、ストリームは、形成される。そのようなターゲットストリームは、他のＡＴで著しい干渉を引き起こさないはずであり、そのような干渉は恐らく無視される。しかしながら、各リンク上の送信条件、適切な変調および符号化方式（ＭＣＳ：modulation and coding scheme）への依存が選択されるべきである。 典型的には、ＡＰは、多くの送信機会（ＴＸＯＰ：transmit opportunities）にわたるその適応を含む、特定の通信リンクのための変調および符号化方式（ＭＣＳ）を制御する。しかしながら、これはＡＰに追加の負担を負わせる。さらに、典型的なレートアダプテーションスキームは、そのリンクのためのデータ送信速度の適切な変化を決定するために特定のリンク上のパケット送信失敗／成功を単に考慮する。レートアダプテーションのために役立つ共有情報に対するメカニズムおよび現在のレートアダプテーションに対する改良が望まれている。
【発明の概要】
【０００５】
さまざまな態様に従って、ワイヤレスネットワークのリンクのための送信パラメータは、ロスパラメータに基づいて現在の同時送信に適応される。ロスパラメータは、同時送信に参加する複数のワイヤレスノードのうちの１つのワイヤレスノードのための割り当てを決定するために使用可能である。
【０００６】
いくつかの実施形態において、アクセスポイント（ＡＰ）は、複数のアクセス端末（ＡＴ）へのロスパラメータを決定し通信する。各ＡＴは、少なくとも一部のロスパラメータに基づいて変調および符号化方式（ＭＣＳ）を決定する。各ＡＴは、決定したＭＣＳに従ってＡＰに少なくとも１つのデータストリームを同時に送信する。他のいくつかの実施形態において、同時のダウンリンク通信のための送信速度は、同様に適応される。
【０００７】
１つに態様において、現在の同時送信のためのロスパラメータに加えて、前の送信に対応する選択された送信パラメータおよびロスパラメータは、送信パラメータを決定するために使用される。
【０００８】
いくつかの実施形態において、現在の同時送信に対してメッセージが受信される。メッセージは少なくとも１つの現在のロスパラメータを含み、少なくとも１つの現在のロスパラメータは、複数のワイヤレスノードからの多重データストリームの現在の同時送信に参加しているワイヤレスノードのための割り当てを決定するために使用可能である。現在の送信パラメータは、現在の同時送信に対して決定される。この決定は、少なくとも１つの現在のロスパラメータの少なくとも一部に基づく。現在の同時送信のための少なくとも１つのデータストリームは、現在の送信パラメータに従って送信される。いくつかの例において、送信パラメータは、送信速度（例えば、変調および符号化方式）および送信電力レベル（例えば、最大送信電力、送信電力バックオフなど）のうちのいずれかである。
【０００９】
別の態様において、前の送信のための少なくとも１つの前のロスパラメータおよび前の送信のための前の送信速度が検索される。現在の送信パラメータは、前の送信パラメータ、少なくとも１つの前のロスパラメータ、および少なくとも１つの現在のロスパラメータに基づいて決定される。
【００１０】
別の態様において、現在の送信パラメータは、前の送信パラメータとして記憶され、少なくとも１つの現在のロスパラメータは、前のロスパラメータとして記憶される。
【００１１】
いくつかの実施形態において、現在の送信パラメータは、ルックアップテーブルを読み出すことによって決定される。
【００１２】
別の態様において、前の送信のための少なくとも１つの前のロスパラメータおよび前の送信のための前の信号対雑音比（ＳＮＲ）が検索される。現在のＳＮＲは、前のＳＮＲ、少なくとも１つの前のロスパラメータ、および少なくとも１つの現在のロスパラメータに基づいて決定される。現在の送信パラメータは、現在のＳＮＲに基づいて決定される。
【００１３】
いくつかの実施形態において、ロスパラメータを通信するメッセージは、送信可能メッセージ（ＣＴＸ：clear to transmit message）および送信スタートメッセージ（ＴＸＳ：transmit start message）のいずれかである。
【００１４】
別の態様において、ロスパラメータは、１つのワイヤレスノードに割り当てられた空間ストリーム（ＳＳ）の総数、複数のワイヤレスノードに割り当てられた空間ストリーム（ＳＳ）の総数、複数のワイヤレスノードの各ワイヤレスノードに割り当てられた送信電力バックオフ、複数のワイヤレスノードの各ワイヤレスノードに割り当てられた送信電力値、１つのワイヤレスノードに割り当てられた送信電力バックオフ、１つのワイヤレスノードに割り当てられた送信電力値、現在の同時送信のために割り当てられたワイヤレスノードの総数、１つのワイヤレスノードに割り当てられた信号対雑音比（ＳＮＲ）オフセット値に対する信号のいずれかである。いくつかの実施形態において、ワイヤレスノードおよび複数のワイヤレスノードは、アクセス端末である。
【００１５】
別の態様において、パケットロスは、前の送信に対して決定され、現在の送信パラメータは、前の送信のための少なくとも一部のパケットロスに基づいて現在の同時送信のために選択される。
【００１６】
いくつかの実施形態において、パケットロスの指示は、アクセス端末への少なくとも１つの前の送信に対して受信される。少なくとも１つの現在のロスパラメータは、アクセス端末を含む複数のアクセス端末からの多重データストリームの現在の同時送信に対して決定される。少なくとも１つの現在のロスパラメータは、アクセス端末のための割り当てを決定するために使用可能である。現在の同時送信のための現在の送信パラメータは、少なくとも１つの現在のロスパラメータおよびパケットロスの指示に基づいて決定される。現在の同時送信のための少なくとも１つのデータストリームは、現在の送信パラメータに従ってアクセス端末へ送信される。
【００１７】
いくつかの実施形態において、少なくとも１つの現在のロスパラメータを含むメッセージが受信され、現在の送信パラメータが選択され、現在の同時送信のための少なくとも１つのデータストリームは、現在の送信パラメータに従って送信される。
【００１８】
他のいくつかの実施形態において、現在のロスパラメータが決定され、現在の送信パラメータが選択され、現在の同時送信のための少なくとも１つのデータストリームは、現在の送信パラメータに従って送信される。
【００１９】
前述した目的および関連する目的を達成するために、１または複数の実施形態は、後に十分に記載され、特許請求の範囲において特に指摘されている特徴を備える。次の記載および添付図面は、１つまたは複数の態様のある実例となる態様を詳細に記載する。しかしながら、これらの態様は、さまざまな態様の原理が適用されるさまざまな方法のうちの僅かしか示しておらず、記載された態様は、このような全ての局面およびそれらの均等物を示すことが意図されている。
【図面の簡単な説明】
【００２０】
【図１】図１は、開示の態様に従って構成されるワイヤレス通信ネットワークの図である。
【図２】図２は、本開示のある実施形態に従ってアクセスポイントおよび２つのユーザ端末を説明するブロック図である。
【図３】図３は、ステートマシンとして表わされた、レートアダプテーションスキームを説明する図である。
【図４】図４は、ステートマシンとして表わされた、エンハンスドレートアダプテーションスキームを説明する図である。
【図５】図５は、本開示の１つの態様に従ってワイヤレス通信システムにおける送信速度を適応させる方法５００を説明するフローチャートである。
【図６】図６は、本開示の別の態様に従ってワイヤレス通信システムにおける送信速度を適応させる方法６００を説明するフローチャートである。
【図７】図７は、１つの実施形態のロスパラメータを決定および通信する方法７００を説明するフローチャートである。
【図８】図８は、１つの実施形態のワイヤレス通信システムで送信パラメータを適応させる方法８００を説明するフローチャートである。
【図９】図９は、別の実施形態のワイヤレス通信システムで送信パラメータを適応させる方法を説明するフローチャートである。
【図１０】図１０は、さらに別の実施形態のワイヤレス通信システムで送信パラメータを適応させる方法を説明するブロック図である。
【図１１】図１１は、パケットロスまたはパケット送信成功に基づいて送信パラメータ適応スキームの機能性を説明するフローチャートである。
【図１２】図１２は、開示の１つの態様に従ってワイヤレス通信システムで送信パラメータを適応するためのＡＰ装置の機能性を説明するブロック図である。
【図１３】図１３は、開示の１つの態様に従ってワイヤレス通信システムで送信パラメータを適応するためのＡＴ装置の機能性を説明するブロック図である。
【図１４】図１４は、処理システムを含む装置のブロック図である。
【発明を実施するための形態】
【００２１】
新規システム、装置、および方法のさまざまな態様は、添付図面を参照して以下により十分に記載される。しかしながら、本開示の技術は、異なる多くの形態で具体化され、本開示を通じて示されたいかなる具体的な構成または機能にも限定されると解釈されるべきではない。本明細書における教示に基づいて、当業者は、本開示の範囲は、独立して実施されようが、あるいは、本開示の任意の他の態様と組み合わされようが、本明細書で開示されたシステム、装置、および方法の任意の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外が追加された構成および機能を用いて実現されるこのような装置または方法をカバーすることが意図されている。本明細書で開示された任意の態様は、特許請求の範囲の１または複数の要素によって具体化されうる。
【００２２】
図１は、アクセスポイントおよびユーザ端末を備えた多元接続ＭＩＭＯシステム１００を示す。簡潔さのために、１つのアクセスポイント１１０だけが図１に示される。アクセスポイントは、一般に、ユーザ端末と通信する固定局であり、基地局、ノードＢ、またはその他いくつかの用語でも称されうる。ユーザ端末は、固定またはモバイルであり、移動局（ＳＴＡ）、アクセス端末（ＡＴ）、ワイヤレスデバイス、ワイヤレスノードまたは他のいくつかの用語でも称されうる。アクセスポイント１１０は、ダウンリンクおよびアップリンク上の任意の所与の瞬間に１つまたは複数のユーザ端末１２０と通信しうる。ダウンリンク（つまりフォワードリンク）は、アクセスポイントからユーザ端末への通信リンクであり、アップリンク（つまりリバースリンク）は、ユーザ端末からアクセスポイントへの通信リンクである。ユーザ端末は、さらに別のユーザ端末とピアツーピアで通信しうる。システム制御器１３０は、アクセスポイントに接続され、調整および制御を提供する。
【００２３】
以下の開示の一部は、ある実施形態に対して、ＳＤＭＡを介して通信することができるユーザ端末１２０を説明しているかもしれないが、ユーザ端末１２０は、さらにＳＤＭＡをサポートしないいくつかのユーザ端末を含みうる。したがって、そのような実施形態のために、ＡＰ１１０は、ＳＤＭＡのユーザ端末と非ＳＤＭＡユーザ端末との両方と通信するように構成されうる。このアプローチは、適切であると考えられるようにより新規のＳＤＭＡユーザ端末が導入されることを可能にする一方で、より古いバージョンのユーザ端末（「レガシー」局）が、それらの有用な寿命を延ばすことを、事業において展開し続けることを可能にしうる。
【００２４】
システム１００は、ダウンリンクおよびアップリンク上のデータ送信のために複数の送信および複数の受信アンテナを用いる。アクセスポイント１１０は、Ｎap個のアンテナが備え付けられ、ダウンリンク送信のための多入力（ＭＩ）およびアップリンク送信のための多出力（ＭＯ）を表わす。Ｎu個の選択されたユーザ端末１２０のセットは、ダウンリンク送信のための多出力およびアップリンク送信のための多入力を集合的に表わす。純粋なＳＤＭＡに対して、Ｎu個のユーザ端末のためのデータシンボルストリームがある手段によってコード、周波数または時間に多重化されない場合、Ｎap≧Ｎu≧１を有することが望まれうる。データシンボルストリームがＣＤＭＡで異なるコードチャネルを使用して多重化される、ＯＦＤＭでサブバンドの互いにバラバラなセットを使用して多重化される、などの場合、Ｎuは、Ｎapより大きい。選択されたユーザ端末各々は、アクセスポイントにユーザ特有のデータを送信するおよび／またはアクセスポイントからユーザ特有のデータを受信する。一般に、選択されたユーザ端末各々は、１つのまたは複数のアンテナ（つまりＮut≧１）が備え付けられうる。Ｎu個の選択された端末は、同じあるいは異なる数のアンテナを有することができる。
【００２５】
ＳＤＭＡシステム１００は、時分割複信（ＴＤＤ）システムまたは周波数分割複信（ＦＤＤ）システムでありうる。ＴＤＤシステムに対して、ダウンリンクおよびアップリンクは同じ周波数帯域を共有する。ＦＤＤシステムに対して、ダウンリンクおよびアップリンクは異なる周波数帯域を使用する。ＭＩＭＯシステム１００は、さらに送信のための単一のキャリアまたは複数のキャリアを利用しうる。各ユーザ端末は、（例えばコストを抑えるために）単一のアンテナが備え付けられる、または（例えば追加のコストをサポートすることができる場合）複数のアンテナを備え付けられうる。
【００２６】
図２は、ＭＩＭＯシステム１００における、アクセスポイント１１０および２つのユーザ端末１２０ｍおよび１２０ｘのブロック図を示す。アクセスポイント１１０は、２２４ａｐを通じてＮap個のアンテナ２２４ａを備え付けられる。ユーザ端末１２０ｍは、Ｎut,m個のアンテナ２５２ｍａ乃至２５２ｘｕを備え付けられ、ユーザ端末１２０ｘは、Ｎut,x個のアンテナ２５２ｘａ乃至２５２ｘｕを備え付けられる。アクセスポイント１１０は、ダウンリンクのための送信エンティティおよびアップリンクのための受信エンティティである。各ユーザ端末１２０は、アップリンクのための送信エンティティおよびダウンリンクのための受信エンティティである。本明細書に使用されるように、「送信エンティティ」は、ワイヤレスチャネルを介してデータを送信することができる、独立して動作する装置またはデバイスであり、「受信エンティティ」は、ワイヤレスチャネルを介してデータを受信することができる、独立して動作する装置またはデバイスである。以下の説明において、下付記号「ｄｎ」は、ダウンリンクを表し、下付記号「ｕｐ」は、アップリンクを表し、Ｎup個のユーザ端末は、アップリンク上の同時送信のために選択され、Ｎdn個のユーザ端末は、ダウンリンク上の同時送信のために選ばれ、Ｎupは、Ｎdnに等しいまたは等しくなく、ＮupおよびＮdnは、静的な値であるか、各スケジューリング間隔で変化することができる。ビームステアリングまたは他のある空間処理技法は、アクセスポイントおよびユーザ端末で使用されうる。
【００２７】
アップリンクについて、アップリンク送信のために選択された各ユーザ端末１２０では、ＴＸデータプロセッサ２８８は、データソース２８６からトラフィックデータを受信し、制御器２８０から制御データを受信する。ＴＸデータプロセッサ２８８は、ユーザ端末のために選択されたレートに関連するコーディングスキームおよび変調スキームに基づいてユーザ端末のためのトラフィックデータ｛ｄup,m｝を処理し（例えば、符号化し、インターリーブし、変調する）、データシンボルストリーム｛ｓup,m｝を提供する。ＴＸ空間プロセッサ２９０は、データシンボルストリーム｛ｓup,m｝上で空間処理を実行し、Ｎut,m個のアンテナのためにＮut,m個の送信シンボルを提供する。各送信機ユニット（ＴＭＴＲ）２５４は、アップリンク信号を生成するために、それぞれの送信シンボルストリームを受信し処理する（例えば、アナログに変換し、増幅し、フィルタに掛け、周波数アップコンバートする）。Ｎut,m個の送信機ユニット２５４は、Ｎut,m個のアンテナ２５２からアクセスポイント１１０への送信のためにＮut,m個のアップリンク信号を提供する。
【００２８】
Ｎup個のユーザ端末は、アップリンク上の同時送信のためにスケジュールされうる。これらの各ユーザ端末は、そのデータシンボルストリーム上で空間処理を実行し、アクセスポイントへのアップリンク上の送信シンボルストリームのそのセットを送信する。
【００２９】
アクセスポイント１１０で、Ｎap個のアンテナ２２４ａから２２４ａｐは、アップリンク上で送信するすべてのＮup個のユーザ端末からのアップリンク信号を受信する。各アンテナ２２４は、それぞれの受信ユニット（ＲＣＶＲ）２２２に受信信号を提供する。各受信ユニット２２２は、送信機ユニット２５４によって実行されたのと相補的な処理を実行し、受信シンボルストリームを提供する。ＲＸ空間プロセッサ２４０は、Ｎap個の受信ユニット２２２からのＮap個の受信シンボルストリーム上で受信機空間処理を実行し、Ｎup個の復元されたアップリンクデータシンボルストリームを提供する。受信機空間処理は、チャネル相関行列反転（ＣＣＭＩ：channel correlation matrix inversion）、最小平均二乗誤差（ＭＭＳＥ）、ソフト干渉キャンセラ（ＳＩＣ：soft interference cancellation）または他のある技法に従って実行される。復元されたアップリンクデータシンボルストリーム｛ｓup,m｝各々は、それぞれのユーザ端末によって送信されたデータシンボルストリーム｛ｓup,m｝の推定値である。ＲＸデータプロセッサ２４２は、復号化データを取得するために、そのストリームに使用されたレートに従って復元されたアップリンクデータシンボルストリーム｛ｓup，m｝各々を処理する（例えば、復調し、デインターリブし、復号化する）。各ユーザ端末のための復号化データは、記憶のためのデータシンク２４４および／またはさらなる処理のための制御器２３０が提供される。
【００３０】
ダウンリンクについて、アクセスポイント１１０では、ＴＸデータプロセッサ２１０は、ダウンリンク送信のためにスケジュールされたＮdn個のユーザ端末のためのデータソース２０８からのトラフィックデータ、制御器からの制御データ、およびことによるとスケジューラ２３４からの他のデータを受信する。様々なタイプのデータは、異なるトランスポートチャネル上で送信されうる。ＴＸデータプロセッサは、ユーザ端末のために選択されたレートに基づいて各ユーザ端末のためのトラフィックデータを処理する（例えば、符号化し、インターリーブし、変調する）。ＴＸデータプロセッサ２１０は、Ｎdn個のユーザ端末のためにＮdn個のダウンリンクデータシンボルストリームを提供する。ＴＸ空間プロセッサ２２０は、Ｎdn個のダウンリンクデータシンボルストリーム上で空間処理を実行し、Ｎap個のアンテナのためのＮap個の送信シンボルを送信する。各送信機ユニット２２２は、ダウンリンク信号を生成するためにそれぞれの送信シンボルストリームを受信し処理する。Ｎap個の送信機ユニット２２２は、Ｎap個のアンテナ２２４からユーザ端末への送信のためにＮap個のダウンリンク信号を提供する。
【００３１】
各ユーザ端末１２０では、Ｎut,m個のアンテナ２５２は、アクセスポイント１１０からＮap個のダウンリンク信号を受信する。各受信機ユニット（ＲＣＶＲ）２５４は、関連するアンテナ２５２からの受信信号を処理し、受信シンボルストリームを提供する。ＲＸ空間プロセッサ２６０は、Ｎut,m個の受信機ユニット２５４からのＮut,m個の受信シンボルストリーム上で受信機空間処理を実行し、ユーザ端末のための復元されたダウンリンクデータシンボルストリーム｛ｓdn,m｝を提供する。受信機空間処理は、ＣＣＭＩ、ＭＭＳＥまたは他のある技法に従って実行される。ＲＸデータプロセッサ２７０は、ユーザ端末のための復号化データを取得するために、復元されたダウンリンクデータシンボルストリームを処理する（例えば、復調し、デインターリブし、復号化する）。
【００３２】
各ユーザ端末１２０において、チャネル推定器２７８は、ダウンリンクチャネル応答を推定し、ダウンリンクチャネル推定値を提供する。それは、チャネル利得推定値、ＳＮＲ推定値などを含む。同様に、チャネル推定器２２８は、アップリンクチャネル応答を推定し、アップリンクチャネル推定値を提供する。各ユーザ端末のための制御器２８０は、概して、そのユーザ端末のためのダウンリンクチャネル応答行列Ｈdn,mに基づいてユーザ端末のための空間周波数フィルタ行列を導き出す。制御器２３０は、有効なアップリンクチャネル応答行列に基づいてアクセスポイントのための空間周波数フィルタ行列Ｈup,effを導き出す。各ユーザ端末のための制御器２８０は、アクセスポイントへフィードバック情報（例えば、ダウンリンクおよび／またはアップリンクステアリングベクトル、ＳＮＲ推定値など）を送りうる。制御器２３０および２８０は、さらにアクセスポイント１１０およびユーザ端末１２０で様々な処理ユニットの動作をそれぞれ制御する。
【００３３】
１つの送信ノードおよび１つの受信ノード（例えば、ＡＰとＳＴＡとの間のダウンリンク）を包含する単一のリンクのために、適切な変調および符号化方式（ＭＣＳ）の選択は、受信機ノードで信号対雑音比（ＳＮＲ）の関数として表わされうる。理想的なレートアダプテーション（ＲＡ）スキームは、適切なＭＣＳに特定のＳＮＲをマップする。したがって、ＭＣＳは、以下の関数として表わされうる：  
MCS = RA(SNR)                    （１）
【００３４】
ＳＮＲは、送信電力（TXPower）、距離（Pathloss）およびノイズフロア（Noise）のようなＡＰからＳＴＡへのリンクセッティングの関数である。ＳＮＲは、以下の関数としてあらわされうる：  
SNR = TXPower(AP) - Pathloss(AP,STA) - Noise(STA) [dB]    （２）
【００３５】
ＭＣＳは、最大データスループットを可能にするように選択されるべきである。したがって、任意のレートアダプテーションスキームの有効性は、リンクセッティングの所与のセットに対して達成されるデータスループットに基づいて測定される。
【００３６】
ＩＥＥＥ８０２．１１ネットワークにおいて、送信機（つまり送信のためのＭＣＳを決定している、送信ノード）は、しばしば意図した受信機におけるＳＮＲの直接の知識を全く有しない。例えば、ＩＥＥＥ８０２．１１  ＷＬＡＮで使用されるような従来のレートアダプテーションは、多くの成功送信または誤送信をカウントすることによって適切なＭＣＳを選択する。連続する成功送信は、比較的よいチャネルコンディションを示しうる。そのような連続した成功送信が存在する場合、ＲＡスキームは、典型的に、次の送信のためにより高いデータレート（つまり、さらに別の成功送信を許容すると予想されるレート）を考慮してＭＣＳを選択するように構成される。対照的に、連続した誤送信は、不良なチャネルを示し、ＲＡスキームは、（劣ったチャネルにわたって成功送信を達成する可能性が高い）より低いデータレートを考慮してＭＣＳを選択するように適宜構成される。
【００３７】
そのようなＲＡスキームは、ステートマシンと称されうる。図３は、そのようなＲＡスキーム３００の例を表す。図３は、異なるＭＣＳに対応する各々４つの異なるレートを表す。ＭＣＳ３１０は、６４Ｍｂｐｓのレートで動作し、ＭＣＳ３２０は、５２Ｍｂｐｓのレートで動作し、ＭＣＳ３３０は、４８Ｍｂｐｓのレートで動作し、ＭＣＳ３４０は、３９Ｍｂｐｓのレートで動作する。ある状態から別の状態への遷移は、連続した正確な送信（左側）および測定されたパケットロス（右側）に従って定義される。したがって、既存のＭＣＳから新規のＭＣＳに遷移する決定は、多くの連続した正確な送信および多くの測定されたパケットロスに基づく。このＲＡ進化スキームは、さらに「単一ユーザの場合」と本明細書で称されうる。
【００３８】
ある実施形態において、本発明は、ワイヤレスローカルエリアネットワーク（ＷＬＡＮ）に適用する。ここで、複数の局（ＳＴＡ）は、アクセスポイント（ＡＰ）として本願明細書で称される、単一受信機に送られるデータを有する。アップリンク空間分割多元接続（ＵＬ−ＳＤＭＡ）技術に従って、複数のＳＴＡは、ＡＰに向かって同時にデータを送ることが許容される。ダウンリンク空間分割多元接続（ＤＬ−ＳＤＭＡ）技術に従って、ＡＰは、複数のＳＴＡに向かって同時にデータを送ることが許容される。ＵＬ／ＤＬ−ＳＤＭＡ送信の一部になることができる各独立データフローは、空間ストリーム（ＳＳ）と称される。１つの例において、データストリーム１４０は、データストリーム１５０がＡＰ１１０からＳＴＡ１２０ｅへのダウンリンクを介して送信されるのと同時にＡＰ１１０からＳＴＡ１２０ｄへのダウンリンクを介して送信されうる。別の例において、データストリーム１６０は、データストリーム１７０がＳＴＡ１２０ｅからＡＰ１１０へのアップリンクを介して送信されるのと同時にＳＴＡ１２０ｄからＡＰ１１０へのアップリンクを介して送信されうる。ＳＤＭＡのコンテキストにおいて、データストリーム１４０、１５０、１６０および１７０は、空間ストリームである。
【００３９】
ＳＤＭＡ送信において、多重データフローは、通常、同時に扱われうる(served)。１つの特定のデータフロー（例えば、空間ストリーム）によって経験するＳＮＲは、ＳＤＭＡにおいて同時に扱われるすべてのフロー（例えば、空間ストリーム）の共同送信の特性に依存しうる。
【００４０】
ＡＰから複数のＳＴＡ（ＤＬ−ＳＤＭＡ）へのダウンリンク送信において、特定のＳＴＡ（例えば、ＳＴＡ１）のための適切なＭＣＳ（例えば、ＭＣＳ１）の選択は、特定のＳＴＡで信号対雑音比（例えば、ＳＮＲ１）の関数として表わされうる。ＲＡスキーム（例えば、ＲＡ１）は、適切なＭＣＳに特定のＳＮＲをマップする。このように、ＭＣＳ１は、以下の関数で表されうる：  
MCS1 = RA1(SNR1)                      （３）
【００４１】
ＡＰによる送信電力（TXPower）、チャネルによって取り込まれたパスロス（PathLoss）、およびノイズフロア（Noise）のような特定のＡＰ−ＳＴＡのリンクセッティングに加えて、ＳＮＲ１は、さらにＳＤＭＡのコンテキストにおける多重化ロス（multiplexing losses）および直交性ロス（orthogonality losses）の関数である。１つの例において、多重化ロスおよび直交性ロスは、特定のＳＤＭＡ送信に含まれるストリームの数の関数として近似されうる。このように、ＳＮＲ１は、以下の関数で表されうる：  
SNR1 = TXPower(AP) - MultiplexingLoss(num_streams) -
OrthogonalityLoss(num_streams) - PathLoss(AP,STA) - Noise(STA)    （４）
【００４２】
この例示において、MultiplexingLoss(num_streams)は、複数の同時送信にわたって分けられたＡＰによって送信された合計電力の影響から成る。OrthogonalityLoss(num_streams)は、送信スキームの固有ロスである。したがって、ダウンリンクにおいて、ＳＴＡのＳＮＲは、ＡＰからＳＴＡへのリンクだけでなく、ＳＤＭＡ割り当て（つまり、示されるように、ストリームの数）にも依存する。
【００４３】
同様に、ＵＬ−ＳＤＭＡについては、ＳＮＲのための近似は以下のとおりである：  
SNR1 = MAXTXPower(STA1) - PowerBackoff(STA1) - 
OrthogonalityLoss(num_streams) - PathLoss(STA1,AP) - Noise(AP)    （５）
【００４４】
この例において、MAXTXPower(STA1)は、ＳＴＡ１の最大送信電力であり、PowerBackoff(STA1)は、最大送信電力に適用されたスケーリングファクタである。MAXTXPowerおよびPowerBackoffともに、ＳＴＡ１の送信電力を決定する。OrthogonalityLoss(num_streams)は、チャネルおよび受信機構造による固有ロスで、ストリームの総数に依存する。PathLoss(STA1,AP)は、チャネル減衰である。Noise(AP)は、ＡＰにおけるノイズフロアである。
【００４５】
したがって、アップリンクにおいて、例えばダウンリンクなどで、ＳＴＡのＳＮＲは、ＡＰからＳＴＡへのリンクだけでなくＳＤＭＡ割り当てにも依存する。
【００４６】
ＳＤＭＡ割り当てがＳＤＭＡ送信のある（つまり、空間ストリームの異なる合計数、異なる電力バックオフ、異なる電力値、ＳＴＡの異なる数などとすることができる）毎に変更するので、ＳＮＲは、同様に変更することができる。したがって、単一ユーザＲＡスキームがＳＤＭＡ送信で各リンクに適用される場合、非効率的なＭＣＳ選択が生じうる。
【００４７】
１つの態様において、ＲＡのためのスキームは、図４によって記述されたステートマシンによって説明されるように実行される。この特定の例において、図４のステートマシンは、図３において説明されたＭＣＳ状態および遷移を含むだけでなく、１つまたは複数のロスパラメータ（またはそれに関連する変数）の変化に基づいた追加の遷移を含む。１つの例において、ロスパラメータは、パケット成功またはロスが測定される間の最近の送信で使用されたＳＤＭＡパラメータでありうる。改良されたスキームは、本明細書に「改良されたＲＡ」と称されうる。状態図によって図４において説明されたが、改良されたＲＡは、多くの異なるやり方（例えば、ステートマシン、機能表現、ルックアップテーブルなど）で実装されうる。例示として、ロスパラメータは、特定のＡＴに割り当てられた空間ストリーム（ＳＳ）の総数、多重データストリームの同時送信のために１つのアクセスポイント（ＡＰ）によって割り当てられた空間ストリーム（ＳＳ）の総数、多重データストリームの同時送信のためにスケジュールされた各ＡＴに割り当てられた送信電力バックオフ、現在の送信のために割り当てられたＡＴの総数、多重データストリームの同時送信のためにスケジュールされた各ＡＴに割り当てられた送信電力値、特定のＡＴに割り当てられた送信バックオフ、特定のＡＴに割り当てられた送信電力値、および特定のＡＴに割り当てられた信号対雑音比（ＳＮＲ）オフセット値を含みうる。
【００４８】
ロスパラメータが実質的に定数のままである場合には、改良されたＲＡは、必要とされなくなりうる。その場合、ＲＡは、図３に説明されているような（つまり単一ユーザの場合）ステートマシンに従って従来通りに展開しうる。特に、ＳＴＡにおける各パケット送信の後、次のパケットに使用されるべき変調および符号化方式（ＭＣＳ）が選択される。この場合、本明細書に議論されるように、現在のＭＣＳ（つまり現在のＴＸＯＰの間にデータを送信するために使用されるＭＣＳ）は、前のＭＣＳ（つまり前のＴＸＯＰからのＭＣＳ）の関数、および最近のＴＸＯＰの間のパケット送信に対して生じた成功またはエラーの数である。ロスパラメータが定数にとどまらない場合には、改良されたＲＡは、本明細書に記述されるように実行されうる。
【００４９】
本明細書に記述された様々な実施形態および例示が、現在の同時送信のために適応される送信パラメータとして送信レート（例えば、ＭＣＳ）を参照するが、多くの他の送信パラメータが同様に適応されうる。例えば、送信電力（例えば送信電力レベル、送信電力バックオフ、または送信電力オフセット）は、現在の同時送信に適応しうる。他の例において、データ量またはデータのタイプは、現在の同時送信に適応しうる。他の例において、送信持続時間は、現在の同時送信に適応しうる。送信パラメータは、さらに送信セッティングまたは送信構成と称されうる。このように、送信パラメータは、どのようにデータが通信されることになるか指示する特有のセッティングまたは構成を指す。例えば、送信パラメータは、データが特定のレートで通信されることになる、データが特定のタイプで通信されることになるデータが特定の電力レベルで通信されることになる、データの特定の両が通信されることになる、あるいはデータが特定の空間ストリームにわたって通信されることになることを指示する。
【００５０】
更に、本明細書に記述された様々な実施形態および例示は、現在の同時送信として現在の送信機会（ＴＸＯＰ）を指す。しかしながら、より一般に、現在の同時送信は、複数のワイヤレスノードから、あるいは複数のワイヤレスノードに送信される複数のデータストリームを包含する、ペンディングのまたは来たる送信である。例えば、現在の同時送信は、現在割り当てられている来たる同時送信でありうる。他のいくつかの例において、現在の同時送信は、複数のワイヤレスノードから、あるいは複数のワイヤレスノードに送信される複数のデータストリームを包含する進行中の送信である。
【００５１】
ロスパラメータのいくつかの例示は、本明細書に記述される。しかしながら、より一般に、ロスパラメータは、ワイヤレスノードのための割り当てを決定するのに使用可能なパラメータである。従って、現在のロスパラメータが現在の同時送信のためのワイヤレスノードに対する割り当てを決定するのに使用可能なロスパラメータであるということになる。例えば、現在のロスパラメータは、現在の同時送信のためのＡＰによってＳＴＡのグループに割り当てられた空間ストリームの最大数および順序である（例えば、５つの空間ストリームが順次１から５に配列される）。特定の例として、ＡＴ１１０は、ＡＴ１２０ａおよび１２０ｂからの多重データストリームの現在の同時送信において、ＡＰ１１０は、ＡＴ１２０ａが空間ストリーム１および２のうちの何れかを使用し、ＡＴ１２０ｂが、空間ストリーム３、４、および５のうちの何れかを使用することを決定しうる。この例において、ＡＴ１２０ａに伝えられた現在のロスパラメータは、この割り当てを含み、ＡＴ１２０ａは、空間ストリーム１および２のうちの何れかにわたって送信のためにデータを割り当てることができる。同様に、ＡＴ１２０ｂに伝えられた現在のロスパラメータは、この割り当てを含み、ＡＴ１２０ｂは、空間のストリーム３、４および５のうちの何れかにわたって送信のためにデータを割り当てることができる。いくつかの例において、現在のロスパラメータは、明示するＡＰによって決定されたパラメータであるが、現在の同時送信を具体的に指示しない。例えば、ＡＴ１２０ａは、空間ストリーム１および２を割り当てられうるが、データが空間ストリーム１のみにわたって現在の同時送信で通信されるであろうことを決定しうる。このように、ワイヤレスノードのための割り当ては、現在のロスパラメータの少なくとも一部に基づいて決定されうる。他のいくつかの例示において、現在のロスパラメータは、ＡＰと特定のＡＰとの間のチャネルの条件に関する情報を通信する。現在のロスパラメータは、さらにそのチャネル上の過去に用いられた送信性能（例えばパケットロス比率、パケットロスまたは受信電力レベル）を通信しうる。例えば、ＡＴ１２０ａは、過去の送信で著しいパケットロスの指示を受信し、データ送信速度が現在の同時送信においてより低くなることを決定しうる。このように、ワイヤレスノードのためのレート割り当ては、現在のロスパラメータの少なくとも一部に基づいて決定されうる。
【００５２】
図５は、ワイヤレス通信システムで送信速度を適応させる方法５００を説明し、図４に従って目下説明される。ブロック５１０で、特定のリンクを包含する前の送信機会（ＴＸＯＰ）からの少なくとも１つの前のロスパラメータが検索される。１つの例において、リンクを包含する前のＳＤＭＡ通信ＴＸＯＰのためのＡＰによって割り当てられたＳＳの総数は、メモリから検索される。ブロック５２０で、前のＴＸＯＰに対するリンクのために選択されたＭＣＳがさらに検索される。ブロック５３０で、現在のＴＸＯＰのための現在のＭＣＳが選択される。１つの例において、現在のＭＣＳは、現在のロスパラメータ（例えば、ＡＰによって現在のＳＤＭＡ通信ＴＸＯＰに割り当てられたＳＳの総数）、少なくとも１つ前のロスパラメータ（例えば、ＡＰによって前のＳＤＭＡ通信ＴＸＯＰに割り当てられたＳＳの総数）、および前のＴＸＯＰに対して選択されたＭＣＳのうちの何れかの少なくとも一部に基づいてあらかじめ計算されたルックアップテーブルから決定される（つまり、調べられる）。図４を参照して、ＭＣＳ４４０は、前のＭＣＳであり、前のＴＸＯＰから現在のＴＸＯＰへのロスパラメータの変化に基づく。それは、送信速度において３ステップの増加が是認されることが決定されうる。このように、ＭＣＳ４４０からＭＣＳ４１０への遷移４６０は、適切であり、ＭＣＳ４１０が選択される。送信速度の２ステップの増加が是認されることがさらに決定されうる。このように、ＭＣＳ４４０からＭＣＳ４２０への遷移４５０は、適切であり、ＭＣＳ４２０が選択される。別の例において、ＭＣＳ４３０が前のＭＣＳであり、前のＴＸＯＰから現在のＴＸＯＰへのロスパラメータの変化に基づく。それは、送信速度の２ステップの増加が是認されることが決定されうる。このように、ＭＣＳ４３０からＭＣＳ４１０への遷移４７０は、適切であり、ＭＣＳ４１０が選択される。同様に、遷移４８０、４９０および４９５は、さらに前のＴＸＯＰから現在のＴＸＯＰへのロスパラメータの変化および前のＴＸＯＰに対して選択された前のＭＣＳに依存して送信速度を減少させるために適切でありうる。図４に詳細に説明されたが、他の多くの遷移が、現在のロスパラメータ、前のロスパラメータ、および前に選択されたＭＣＳの任意の組み合わせに依存することを考慮しうる。図５に戻り、ブロック５４０で、現在のロスパラメータは、前のロスパラメータとして記憶され、それは、将来のＳＤＭＡ通信ＴＸＯＰのために利用することができる。例えば、現在のロスパラメータは、５１０に関して以上で記述されるように前のロスパラメータとして次のＴＸＯＰにおけるアクセスのために記憶される。同様に、ブロック５５０で、現在のＭＣＳは、前のＭＣＳとして記憶される。
【００５３】
改良されたＲＡは、ＳＤＭＡプロトコルに従う通信を含む、複数のノードからノードへのリンクの各々に適用されうる。その通信は、ＵＬおよびＤＬ通信をさらに含む。ＤＬ通信に対して、改良されたＲＡは、ＡＰによって実行される。ＵＬ通信に対して、改良されたＲＡは、ＡＰまたはＳＴＡの何れかによって実行されうる。１つの実施形態において、方法５００は、ＡＰとのＵＬ通信のためにＳＴＡによって実行される。別の実施形態において、方法５００は、ＳＴＡとのＵＬ通信のためにＡＰによって実行される。さらに別の実施形態において、方法５００は、ＳＴＡとのＤＬ通信のためにＡＰによって実行される。
【００５４】
ＤＬ通信に対して、ロスパラメータは、ＡＰで既知である。ＵＬ通信に対して、ロスパラメータは、ＡＰで既知であり、ＳＴＡ（ｓ）からの送信に先立ってＡＰによってＳＴＡに伝えられうる。１つの例において、パラメータは、ＳＤＭＡの送信開始（ＴＸＳ）メッセージ中でシグナルされることができる。別の例において、パラメータは、ＳＤＭＡの送信可能（ＣＴＸ）メッセージ中でシグナルされることができる。ＴＸＳおよびＣＴＸのメッセージは、例示として言及されるが、データの送信を開始するＳＴＡに先立ってＡＰからＳＴＡへの任意のメッセージがロスパラメータを通信するのに適している。
【００５５】
１つの実施形態において、前のＴＸＯＰのためのロスパラメータの１つまたは複数が現在のＴＸＯＰのロスパラメータと実質的に異なる場合、方法５００が適用される。いくつかの例示において、前述のパラメータまたは変数が検索され記憶されるメモリは、メモリ２３２である。他の例示において、メモリは、メモリ２８２ｍ，．．．２８２ｘのうちの何れかであるが、本明細書で記述される他の記憶媒体（例えばコンピュータ可読媒体１４０６）が利用されることを諒解されたい、１つの実施形態において、前のＴＸＯＰが現在のＴＸＯＰの直前に生じるＴＸＯＰであるが、他のＴＸＯＰが代わりにまたは同様に指定されることを諒解されたい。１つの実施形態において、現在のＭＣＳは、前のＭＣＳ、前のロスパラメータおよび現在のロスパラメータに現在のＭＣＳをマッピングするルックアップテーブルから読出される。しかしながら、他の実施形態において、現在のＭＣＳは、関数的に計算されうる。
【００５６】
図６は、ワイヤレス通信システムで送信速度を適応させる方法６００を説明する。方法６００は、ＭＣＳがさらに決定されることからＳＮＲへロスパラメータがマップされるという点を除いて、方法５００に似ている。ブロック６１０）で、特定のリンクを包含する前の送信機会（ＴＸＯＰ）からの少なくとも１つの前のロスパラメータが検索される。１つの例において、リンクを包含する前のＳＤＭＡ通信ＴＸＯＰのためのＡＰによって割り当てられたＳＳの総数は、メモリから検索される。ブロック６２０で、前のＴＸＯＰのために決定されたＳＮＲがさらに検索される。ブロック６３０で、現在のＴＸＯＰに対する現在のＳＮＲが選択される。１つの例において、現在のＳＮＲは、現在のロスパラメータ（例えば、現在のＳＤＭＡ通信ＴＸＯＰのためのＡＰによって割り当てられたＳＳの総数）、少なくとも１つの前のロスパラメータ（例えば、前のＳＤＭＡ通信ＴＸＯＰのためのＡＰによって割り当てられたＳＳの総数）、前のＴＸＯＰに対して決定されたＳＮＲのうちの何れかの少なくとも一部に基づいて事前に計算されたルックアップテーブルから決定される（つまり、調べられる）。ブロック６４０で、現在のＭＣＳは、現在のＳＮＲに基づいて決定される。１つの例において、現在のＭＣＳは、ＭＣＳ選択にＳＮＲ値をマップするレートテーブルから読出される。別の例において、現在のＭＣＳは、ＳＮＲ値の関数として送信速度を表わす関数から計算されうる。ブロック６５０で、現在のロスパラメータは、将来のＳＤＭＡ通信ＴＸＯＰのために利用可能になるように、前のロスパラメータとして記憶される。例えば、現在のロスパラメータは、６１０に関して以上で記述されるように前のロスパラメータとして次のＴＸＯＰにアクセスのために記憶される。同様に、ブロック６６０で、現在のＭＣＳは、前のＭＣＳとして記憶される。
【００５７】
図７は、ワイヤレス通信システムで送信速度を決定する方法７００を説明する。実施形態において、方法７００は、この例示において、ＳＴＡとＵＬ通信するＡＰによって実行される。
【００５８】
７１０で、ＡＰは、ロスパラメータを決定する。ロスパラメータは、例えば、使用されるべき（あるいは使用中の）空間ストリームの総数、および／または各ストリームの電力指示を含む。そのような電源指示は、例えば、前の送信に関して、電力スケーリングファクタ、または電力の測定値を含みうる。他のタイプのロスパラメータがありうることを認識されたい。
【００５９】
７２０で、次の送信機会（ＴＸＯＰ）のための送信可能（ＣＴＸ）メッセージが構成される。ＣＴＸは、ロスパラメータを示すロスパラメータ、または変数のうちのいくつかまたはすべてを含む。７３０で、ＣＴＸはＳＴＡ（ｓ）に送信される。７４０で、ＳＴＡ（ｓ）からのデータストリームは、そのＴＸＯＰのために受信される。７５０で、承認（ＡＣＫ）メッセージは、ＳＴＡ（ｓ）に送信される。
【００６０】
図８は、ワイヤレス通信システムで送信速度を決定する方法８００を説明する。１つの実施形態において、方法８００は、この例示において、ＳＴＡとＤＬ通信するＡＰによって実行される。８０５で、ＡＰは、ＡＴから前の送信のためのメッセージを受信する。メッセージは、前の送信の特性または前の送信のグループを示す。例えば、メッセージは、多くの前の送信にわたって平均化されたパケットロス比率を示しうる。別の例示において、メッセージは、前の送信のパケットロスまたは前の送信のグループを示しうる。別の例示において、メッセージは、前の送信の間のＡＴで受信した電力レベルを示しうる。別の例において、メッセージは、ＡＰおよびＳＴＡの間のリンクのチャネル品質を示しうる。
【００６１】
８１０で、ＡＰは、ロスパラメータを決定する。ロスパラメータは、例えば、使用されるべき（あるいは使用さ中の）空間ストリームの総数、および／または各ストリームの電力指示を含みうる。そのような電源指示は、例えば、前の送信に関する、電力スケーリングファクタまたは電力の測定値を含みうる。他のタイプのロスパラメータがとりうることを認識されたい。８２０で、現在のＭＣＳは、方法５００および６００のうちの何れかに従って選択される。いくつかの例において、現在のＭＣＳは、８０５でＡＴから受信した少なくとも一部の指示に基づいて選択される。８３０で、少なくとも１つのデータストリームは、現在のＴＸＯＰの間に選択されたＭＣＳに従ってＡＰからＳＴＡに送信される。
【００６２】
図９は、ワイヤレス通信システムで送信速度を決定する方法９００を説明する。１つの実施形態において、方法９００は、この例では、ＳＴＡとＵＬ通信するＡＰによって実行される。方法９００は、方法７００にあるようなＳＴＡにロスパラメータを伝えるのではなく、現在のＭＣＳがＡＰ自身によって選択され、ＳＴＡに直接通信する以外は方法７００に類似する。９０５で、ＡＰは、ブロック８０５に関して記述されるようなＡＴから前の送信に対するメッセージを受信する。９１０で、ＡＰは、ロスパラメータを決定する。ロスパラメータは、例えば、使用される（あるいは使用中の）空間ストリームの総数、および／または各ストリームの電力指示を含みうる。そのような電力指示は、例えば、前の送信に関する、電力の測定値、または電力スケーリングファクタを含みうる。他のタイプのロスパラメータがありうることが認識されるだろう。
【００６３】
９２０で、現在のＭＣＳは、方法５００および６００のうちの何れかに従って選択される。９３０で、選択された現在のＭＣＳを示す次の送信機会（ＴＸＯＰ）のためのメッセージ（例えば、ＣＴＸまたはＴＸＳ）が送信される。９４０で、ＳＴＡからのデータストリームは、そのＴＸＯＰのために受信される。９５０で、肯定応答（ＡＣＫ）メッセージは、ＳＴＡに送信される。
【００６４】
図１０は、ワイヤレス通信システムで送信速度を決定する別の例方法を説明する。実施形態において、方法１０００は、この例では、ＡＰとＵＬ通信するＳＴＡによって実行される。１０１０で、ＳＴＡは、ＣＴＸを受信する。以上で記述されるように、ＣＴＸは改良されたＲＡスキームで使用されるロスパラメータを含む。１０２０で、ロスパラメータは、ＣＴＸからＳＴＡで決定される。１０３０で、現在のＭＣＳは、ロスパラメータの１つまたは複数に基づいて選択される。実施形態において、現在のＭＣＳは、方法５００に従って選択される。別の実施形態において、現在のＭＣＳは、方法６００に従って選択される。１０４０で、１つまたは複数のデータストリームは、現在のＭＣＳに対応する速度で送信される。
【００６５】
図１１は、ワイヤレス通信システムにおける送信速度を決定する別の例示の方法を説明する。様々な実施形態において、方法１１００は、方法７００、８００、９００および１０００のうちの何れかに付加されるので、ＡＰまたはＳＴＡのいずれかによって実行されうる。ブロック１１１０で、パケットロス、あるいは代替として、成功したパケット送信が決定される。ブロック１１２０で、現在のＭＣＳは、図３で説明されるように、連続のパケットロスあるいは成功したパケット送信の何れかに基づいて選択される。このように、単一ユーザレートアダプテーションは、本明細書に開示された改善されたレートアダプテーションの方法のうちの何れかとともに実行されうる。
【００６６】
図１２は、開示の１つの態様に従ってアクセスポイント装置１２００の機能を説明する図である。装置１２００は、現在のＴＸＯＰのための少なくとも１つの現在のロスパラメータを決定するためのモジュール１２１０と、ここで、少なくとも１つの現在のロスパラメータは、現在のＴＸＯＰのための多重データストリームのための同時送信のための割り当てを示す、現在のＴＸＯＰのための少なくとも１つの現在のロスパラメータを含むメッセージを送信するためのモジュール１２２０と、現在のＴＸＯＰから少なくとも１つのデータストリームを受信するためのモジュール１２３０とを含む。
【００６７】
図１３は、開示の１つの態様に従ってアクセス端末装置１３００の機能を説明する図である。装置１３００は、現在のＴＸＯＰのためのメッセージの受信するためのモジュール１３１０と、ここで、メッセージは、現在のＴＸＯＰのための多重データストリームの同時送信のための割り当てを示す少なくとも１つの現在のロスパラメータを含む、少なくとも１つの現在のロスパラメータに少なくとも一部基づいて現在のＴＸＯＰのための現在のＭＣＳを決定するためのモジュール１３２０と、現在のＭＣＳに従うＴＸＯＰのための少なくとも１つのデータストリームを送信するためのモジュール１３３０とを含む。
【００６８】
図１４は、ワイヤレスノード（例えばＡＰ１１０およびＡＴ１２０）の処理システム１４００のためのハードウェア構成の例示を説明する。この例において、処理システム１４００は、バス１４０２で一般に表わされるバスアーキテクチャとともに実装されうる。バス１４０２は、処理システム１４００の特定アプリケーションと全体的な設計制約に依存する任意の数の相互接続しているバスとブリッジを含むことができる。バスは、プロセッサ１４０４、コンピュータ可読媒体１４０６、およびバスインタフェース１４０８を含む様々な回路と相互にリンクする。バスインタフェース１４０８は、バス１４０２を介して書誌システム１４００に、とりわけ、ネットワークアダプタを接続するために使用されうる。ネットワークインターフェース１４１０は、ＰＨＹレイヤの信号処理機能を実装するために使用されうる。アクセス端末１２０（図１を参照）の場合には、ユーザインターフェース１４１２（例えば、キーパッド、ディスプレイ、マウス、ジョイスティックなど）は、さらにバスインタフェース１４０８を介してバスに接続されうる。バス１４０２は、タイミングソース、周辺機器、電圧調整器、電力管理回路、および同様なもののような様々な他の回路もリンクさせ、そしてそれらは、当技術分野ではよく知られているので、さらには説明しない。
【００６９】
プロセッサ１４０４は、コンピュータ可読媒体１４０８上に格納されるソフトウェアの実行を含むバス及び一般的な処理を管理することに関与している。プロセッサ１４０８は、１つまたは複数の汎用プロセッサおよび／または専用プロセッサとともに実装されうる。例示は、マイクロプロセッサ、マイクロコントローラ、デジタル信号プロセッサ（ＤＳＰ）、プログラマブル論理デバイス（ＰＬＤ）、ステートマシン、ゲート制御される論理、ディスクリートハードウェア回路、および、本開示全体にわたって説明される様々な機能を実行するように構成された他の適切なハードウェア、を含む。
【００７０】
処理システムにおける１つまたは複数のプロセッサは、ソフトウェアを実行することができる。ソフトウェアは、ソフトウェア、ファームウェア、ミドルウェア、マイクロコード、ハードウェア記述言語、または、別のものを言及しようとしなかろうと、命令、命令セット、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、プロシージャ、関数などを意味するように広く解釈されるべきである。
【００７１】
ソフトウェアは、コンピュータ可読媒体上で常駐しうる。コンピュータ可読媒体は、例示として、磁気記憶デバイス（例えば、ハードディスク、フロッピー（登録商標）ディスク、磁気ストリップ（ｍａｇｎｅｔｉｃ  ｓｔｒｉｐ））、光学ディスク（例えば、コンパクトディスク（ＣＤ）、デジタル汎用ディスク（ＤＶＤ））、スマートカード、フラッシュメモリデバイス（例えば、カード、スティック、キードライブ）、ランダムアクセスメモリ（ＲＡＭ）、読み出し専用メモリ（ＲＯＭ）、プログラマブルＲＯＭ（ＰＲＯＭ）、消去可能なＰＲＯＭ（ＥＰＲＯＭ）、レジスタ、リムーバブルディスク、キャリア波、送信線、あるいはソフトウェアを格納あるいは送信するための任意の他の適切な媒体を含むことができる。コンピュータ可読媒体は、処理システムにおいて常駐していてもよく、処理システムに対して外付けであってよく、または、処理システムを含んでいる複数のエンティティにわたって散在してもよい。コンピュータ可読媒体は、コンピュータプログラム製品において具現化されることができる。例えば、コンピュータプログラム製品は、パッケージング材料においてコンピュータ可読媒体を含むことができる。
【００７２】
図１４に示すハードウェア実装では、コンピュータ可読媒体１４０６は、プロセッサ１４０４とは別であり、処理システム１４００の一部として示されている。しかしながら、当業者であれば容易に理解するであろうが、コンピュータ可読媒体１４０６、またはその任意の部分は、処理システム１４００の外部にありうる。例示によれば、コンピュータ可読媒体１４０６は、送信線、データによって変調されたキャリア波、および／または、ワイヤレスノードから分離したコンピュータ製品を含みうる。これらすべては、インタフェース１４０８を介してプロセッサ１４０４によってアクセスされうる。あるいは、または、それに加えて、コンピュータ可読媒体１４０４またはこれら任意の部分は、キャッシュおよび／または汎用レジスタファイルによくあるように、プロセッサ１４０４へ統合されうる。
【００７３】
処理システム、または処理システムの任意の部分は、本明細書に列挙された機能を実行するための手段を提供しうる。例示として、コードを実行する１つまたは複数の処理システムは、複数のワイヤレスノードにおけるワイヤレスノードから送信データへのリクエストを受信するための手段と、データ送信を可能にする複数のワイヤレスノードにおけるワイヤレスノードのセットにマルチキャストメッセージを送信するための手段とを提供しうる。代替として、コンピュータ可読媒体上のコードは、本明細書に列挙された機能を実行するための手段を提供しうる。
【００７４】
１または複数の実施形態において、説明された機能は、ハードウェア、ソフトウェア、ファームウェア、またはこれらの任意の組み合わせで実現されうる。ソフトウェアで実現される場合、これら機能は、コンピュータ可読媒体上に格納されるか、あるいは、コンピュータ可読媒体上の１または複数の命令群またはコードとして送信されうる。コンピュータ可読媒体は、コンピュータ記憶媒体と通信媒体との両方を含む。これらは、コンピュータプログラムのある場所から別の場所への転送を容易にする任意の媒体を含む。記憶媒体は、コンピュータによってアクセスされうる利用可能な任意の媒体である。例として、限定することなく、このようなコンピュータ可読媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラムコード手段を命令群またはデータ構造の形式で搬送または格納するために使用され、しかも、コンピュータによってアクセスされうるその他任意の媒体を備えうる。さらに、いかなる接続も、コンピュータ可読媒体と適切に称される。同軸ケーブル、光ファイバケーブル、ツイストペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバケーブル、ツイストペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含む。これらディスク（ｄｉｓｃ）は、レーザを用いてデータを光学的に再生する。それに対して、ディスク（ｄｉｓｋ）は、通常、データを磁気的に再生する。上記の組み合わせもまた、コンピュータ可読媒体の範囲内に含まれるべきである。
【００７５】
本明細書に記述された多重アンテナ送信技法は、符号分割多元接続（ＣＤＭＡ）、直交周波数分割多重（ＯＦＤＭ）、時分割多元接続（ＴＤＭＡ）などのような様々なワイヤレス技術と結合して使用されうる。複数のユーザ端末は、さまざまな（１）ＣＤＭＡのための直交符号チャネル、（２）ＴＤＭＡのためのタイムスロット、または（３）ＯＦＤＭのためのサブバンドを介してデータを同時に送信／受信することができる。ＣＤＭＡシステムは、ＩＳ−２０００、ＩＳ−９５、ＩＳ−８５６、ワイドバンド−ＣＤＭＡ（Ｗ−ＣＤＭＡ）、または、いくつかの他の基準を実装することができる。ＯＦＤＭシステムは、ＩＥＥＥ  ８０２．１１または他のいくつかの標準を実装しうる。ＴＤＭＡシステムは、ＧＳＭ（登録商標）または他のいくつかの標準を実装しうる。これらの様々な標準は、当該技術分野で既知である。
【００７６】
前述された方法のさまざまな動作は、図面に例示されるような手段プラス機能（means-plus-function）ブロックに対応するさまざまなハードウェアおよび／またはソフトウェア構成要素、論理、および／またはモジュールによって実行されうる。
【００７７】
本明細書で使用される場合、用語「決定すること（determining）」は、さまざまな動作を含む。例えば、「決定すること」は、計算、コンピューティング、処理、導出、調査、ルックアップ（例えば、テーブル、データベース、または他のデータ構造内のルックアップ）、確認等を含むことができる。また、「決定すること」は、受信（例えば、情報の受信）、アクセス（例えば、メモリ内のデータへのアクセス）等を含むことができる。また、「決定すること」は、解決、選択、選定、確立等を含むことができる。
【００７８】
情報および信号を、さまざまな異なる技術および技法のいずれかを使用して表すことができる。例えば、上記説明全体を通じて称されうるデータ、命令、コマンド、情報、信号等を、電圧、電流、電磁波、磁場または磁性粒子、光場または光粒子、あるいはその任意の組合せによって表すことができる。
【００７９】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールドプログラマブル・ゲートアレイ信号（ＦＰＧＡ）もしくはその他のプログラマブル手段デバイス（ＰＬＤ）、ディスクリートゲートもしくはトランジスタ手段、ディスクリートハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成であるコンピューティングデバイスの組み合わせとして実現されうる。
【００８０】
本開示に関連して説明された方法またはアルゴリズムのステップを、ハードウェアで直接的に、プロセッサによって実行されるソフトウェアモジュールによって、またはこの２つの組合せによって実施することができる。ソフトウェアモジュールは、当該技術分野において周知のすべての形式の記憶媒体に常駐することができる。使用できる記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一の命令または複数の命令を備えることができ、複数の異なるコードセグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００８１】
本明細書で開示された方法は、説明された方法を達成するための１つまたは複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００８２】
説明された機能を、ハードウェア、ソフトウェア、ファームウェア、またはその任意の組合せで実施することができる。ソフトウェアで実現される場合、これら機能は、コンピュータ可読媒体に、１または複数の命令群として格納される。記憶媒体は、コンピュータによってアクセスされうる利用可能な任意の媒体である。例として、限定することなく、このようなコンピュータ可読媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラムコード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクトディスク（ＣＤ）（ｄｉｓｃ）、レーザーディスク（ｄｉｓｃ）、光ディスク（ｄｉｓｃ）、デジタルバーサタイルディスク（ＤＶＤ）（ｄｉｓｃ）、フロッピー（登録商標）ディスク（ｄｉｓｋ）およびブルーレイ（登録商標）ディスク（ｄｉｓｃ）を含んでいる。ここで、ｄｉｓｋは、通常、データを磁気的に再生する一方、ｄｉｓｃは、データをレーザを用いて光学的に再生する。
【００８３】
ソフトウェアまたは命令群は、送信媒体を介しても送信される。例えば、同軸ケーブル、光ファイバケーブル、ツイストペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバケーブル、ツイストペア、ＤＳＬ、あるいは、例えば赤外線、無線およびマイクロ波のような無線技術が、媒体の定義に含まれる。
【００８４】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクトディスク（ＣＤ）またはフロッピーディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００８５】
以下に、本願出願の当初の特許請求の範囲に記載された発明を付記する。
特許請求の範囲は、前述した正確な構成および構成要素に限定されないことを理解されたい。さまざまな修正、変更、および変形を、特許請求の範囲の範囲から逸脱せずに、前述した方法および装置の構成、動作、および詳細において実施することができる。
［Ｃ１］
ワイヤレス通信システム（１００）の送信パラメータを適応させる方法（１０００）であって、
多重データストリーム（１６０，１７０）の現在の同時送信に参加している複数のワイヤレスノード（１２０ｄ、１２０ｅ）のうちの１つのワイヤレスノード（１２０ｄ）でメッセージを受信すること（１０１０）と、ここにおいて、前記メッセージは、前記１つのワイヤレスノード（１２０ｄ）のための割り当てを決定するために使用可能な少なくとも１つの現在のロスパラメータを含む、
前記少なくとも１つの現在のロスパラメータの少なくとも一部に基づいて前記現在の同時送信に対する前記１つのワイヤレスノード（１２０ｄ）のための現在の送信パラメータ（４１０）を決定すること（１０３０）と、
前記現在の送信パラメータ（４１０）に従う前記現在の同時送信のための少なくとも１つのデータストリーム（１６０）を前記１つのワイヤレスノード（１２０ｄ）から送信すること（１０４０）と
を備える、方法（１０００）。
［Ｃ２］
前記現在の送信パラメータ（４１０）を前記決定すること（１０３０）は、
前の送信のための少なくとも１つの前のロスパラメータの検索すること（５１０）と、
前記前の送信のための前の送信パラメータ（４３０）を検索すること（５２０）と、
前記前の送信パラメータ（４３０）、前記少なくとも１つの前ロスパラメータ、および前記少なくとも１つの現在のロスパラメータに基づいて前記現在の送信パラメータ（４１０）を決定すること（５３０）と
を含む、方法（１０００）。
［Ｃ３］
前記現在の送信パラメータ（４１０）を前記決定することは、
前記前の送信パラメータとして現在の送信パラメータを記憶すること（５５０）と、
前記前のロスパラメータとして前記少なくとも１つの現在のロスパラメータを記憶すること（５４０）と
を含む、［Ｃ２］に記載の方法（１０００）。
［Ｃ４］
前記現在の送信パラメータは、変調および符号化方式（ＭＣＳ）および送信電力レベルの何れかである、
［Ｃ１］に記載の方法（１０００）。
［Ｃ５］
前記現在の送信パラメータの前記決定すること（１０３０）は、
前の送信のための少なくとも１つの前ロスパラメータの検索すること（６１０）と、
前記前の送信に対する前の信号対雑音比（ＳＮＲ）を検索すること（６２０）と、
前記前のＳＮＲ、前記少なくとも１つの前のロスパラメータ、および前記少なくとも１つの現在のロスパラメータに基づいて現在のＳＮＲの決定すること（６３０）と、
前記現在のＳＮＲに基づいて前記現在の送信パラメータ（４１０）を決定すること（６４０）と
を含む、［Ｃ１］に記載の方法（１０００）。
［Ｃ６］
前記メッセージは、送信可能メッセージ（ＣＴＸ）および送信スタートメッセージ（ＴＸＳ）の何れかである、
［Ｃ１］に記載の方法（１０００）。
［Ｃ７］
前記少なくとも１つの現在のロスパラメータは、
前記１つのワイヤレスノードに割り当てられた空間ストリーム（ＳＳ）の総数、
前記複数のワイヤレスノードに割り当てられた空間ストリームの総数、
前記複数ワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記ワイヤレスノードに割り当てられた信号対雑音比（ＳＮＲ）オフセット値
の何れかである、［Ｃ１］に記載の方法（１０００）。
［Ｃ８］
前の送信に関連したパケットロスを決定すること（１１１０）と、
前記前の送信のための前記パケットロスの少なくとも一部に基づいて前記現在の同時送信のための前記現在の送信パラメータ（４１０）を決定すること（１１２０）と
をさらに備える、［Ｃ１］に記載の方法（１０００）。
［Ｃ９］
ワイヤレス通信システム（９００）における送信パラメータを適応させる方法（９００）であって、
複数のワイヤレスノード（１２０ｄ、１２０ｅ）から多重データストリーム（１６０，１７０）の現在の同時送信のための少なくとも１つの現在のロスパラメータを決定すること（９１０）と、
前記複数ワイヤレスノード（１２０ｄ，１２０ｅ）のうちの１つのワイヤレスノード（１２０ｄ）に前記少なくとも１つの現在のロスパラメータを含むメッセージを送信すること（９３０）と、ここにおいて、前記メッセージは、前記１つのワイヤレスノード（１２０ｄ）の割り当てを決定するために使用することができる、
前記１つのワイヤレスノード（１２０ｄ）から少なくとも１つのデータストリーム（１６０）を受信すること（９４０）と
を備え、少なくとも１つの現在の送信パラメータ（４１０）に従って受信された前記少なくとも１つのデータストリーム（１６０）は、前記現在のロスパラメータからの少なくとも一部に基づいて前記１つのワイヤレスノード（１２０ｄ）で決定される、
方法（９００）。
［Ｃ１０］
前記メッセージは、送信可能メッセージ（ＣＴＸ）および送信スタートメッセージ（ＴＸＳ）のうちの何れかである、
［Ｃ９］に記載の方法（９００）。
［Ｃ１１］
前記少なくとも１つの現在のロスパラメータは、
前記１つのワイヤレスノードに割り当てられた空間ストリーム（ＳＳ）の総数、
前記複数のワイヤレスノードに割り当てられた空間ストリーム（ＳＳ）の総数、
前記複数のワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記１つのワイヤレスノードに割り当てられた信号対雑音比（ＳＮＲ）オフセット値、
のうちの何れかである、［Ｃ９］に記載の方法（９００）。
［Ｃ１２］
ワイヤレス通信システム（１００）の送信パラメータを適応させる方法（８００）であって、
複数のアクセス端末（１２０ｄ，１２０ｅ）のうちの１つのアクセス端末（１２０ｄ）から少なくとも１つの前の送信に対するパケットロスの指示を受信すること（８０５）と、
現在のロスパラメータを決定すること（８１０）と、ここにおいて、前記現在のロスパラメータは、前記複数のアクセス端末（１２０ｄ，１２０ｅ）への多重データストリーム（１４０，１５０）の現在の同時送信に対する前記１つのアクセス端末（１２０ｄ）のための割り当てを決定するために使用可能である、
前記現在のロスパラメータおよび前記パケットロスの指示の少なくとも一部に基づいて前記現在の同時送信のための現在の送信パラメータ（４１０）を決定すること（８２０）と、
前記現在の送信パラメータ（４１０）に従って前記１つのアクセス端末（１２０ｄ）へ少なくとも１つのデータストリーム（１４０）を送信すること（８３０）と
を備える、方法（８００）。
［Ｃ１３］
前記現在の送信パラメータの前記決定は、
前の送信のための少なくとも１つの前のロスパラメータを検索すること（５１０）と、
前記前の送信のための前の送信パラメータ（４３０）を検索すること（５２０）と、
前記前の送信パラメータ（４３０）、前記少なくとも１つの前のロスパラメータ、および前記少なくとも１つの現在のロスパラメータに基づいて前記現在の送信パラメータ（４１０）を決定すること（５３０）と
を含む、［Ｃ１２］に記載の方法（８００）。
［Ｃ１４］
前記現在の送信パラメータを前記決定することは、
前記前の送信パラメータとして前記現在の送信パラメータを記憶すること（５５０）と、
前記前のロスパラメータとして前記少なくとも１つの現在のロスパラメータを記憶すること（５４０）と
を含む、［Ｃ１３］に記載の方法（８００）。
［Ｃ１５］
前記現在の送信パラメータは、変調および符号化方式（ＭＣＳ）および送信電力レベルの何れかである、
［Ｃ１２］に記載の方法（８００）。
［Ｃ１６］
前記現在の送信パラメータを決定することは、
前の送信のための少なくとも前１つのロスパラメータを検索すること（６１０）と、
前記前の送信に対する前の信号対雑音比（ＳＮＲ）を検索すること（６２０）と、
前記前のＳＮＲ、前記少なくとも１つの前のロスパラメータ、および前記少なくとも１つの現在のロスパラメータに基づいて現在のＳＮＲを決定すること（６３０）と、
前記現在のＳＮＲに基づいて前記現在の送信パラメータ（４１０）を決定すること（６４０）と
を含む、［Ｃ１２］に記載の方法（８００）。
［Ｃ１７］
前記少なくとも１つの現在のロスパラメータは、
前記１つのワイヤレスノードに割り当てられた空間ストリーム（ＳＳ）の総数、
前記複数のワイヤレスノードに割り当てられた空間ストリーム（ＳＳ）の総数、
前記複数のワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記１つのワイヤレスノードに割り当てられた信号対雑音比（ＳＮＲ）オフセット値、
のうちの何れかである、［Ｃ１２］に記載の方法（８００）。
［Ｃ１８］
多重データストリーム（１６０，１７０）の現在の同時送信に参加している複数のワイヤレスノード（１２０ｄ、１２０ｅ）のうちの１つのワイヤレスノード（１２０ｄ）でメッセージを受信（１３１０）し、ここにおいて、前記メッセージは、前記１つのワイヤレスノード（１２０ｄ）のための割り当てを決定するために使用可能な少なくとも１つの現在のロスパラメータを含む、
現在の送信パラメータ（４１０）に従う前記現在の同時送信のための少なくとも１つのデータストリーム（１６０）を前記１つのワイヤレスノード（１２０ｄ）から送信（１３３０）する
ように構成された少なくとも１つのアンテナ（２５２ｄａ−２５２ｄｕ）と、
前記少なくとも１つの現在のロスパラメータの少なくとも一部に基づいて前記現在の同時送信に対する前記１つのワイヤレスノード（１２０ｄ）のための前記現在の送信パラメータ（４１０）を決定するための手段（１３２０）と
を備える、装置（１３００）。
［Ｃ１９］
前記現在の送信パラメータを決定することは、
前の送信のための少なくとも１つの前のロスパラメータの検索すること（５１０）と、
前記前の送信のための前の送信パラメータ（４３０）を検索すること（５２０）と、
前記前の送信パラメータ（４３０）、前記少なくとも１つの前ロスパラメータ、および前記少なくとも１つの現在のロスパラメータに基づいて前記現在の送信パラメータ（４１０）を決定すること（５３０）と
を含む、［Ｃ１８］に記載の装置（１３００）。
［Ｃ２０］
前記現在の送信パラメータを決定することは、
前記前の送信パラメータとして現在の送信パラメータを記憶すること（５５０）と、
前記前のロスパラメータとして前記少なくとも１つの現在のロスパラメータを記憶すること（５４０）と
を含む、［Ｃ１９］に記載の装置（１３００）。
［Ｃ２１］
前記現在の送信パラメータの決定することは、
前の送信のための少なくとも１つの前ロスパラメータの検索すること（６１０）と、
前記前の送信に対する前の信号対雑音比（ＳＮＲ）を検索すること（６２０）と、
前記前のＳＮＲ、前記少なくとも１つの前のロスパラメータ、および前記少なくとも１つの現在のロスパラメータに基づいて現在のＳＮＲの決定すること（６３０）と、
前記現在のＳＮＲに基づいて前記現在の送信パラメータ（４１０）を決定すること（６４０）と
を含む、［Ｃ１８］に記載の装置（１３００）。
［Ｃ２２］
前記メッセージは、送信可能メッセージ（ＣＴＸ）および送信スタートメッセージ（ＴＸＳ）の何れかである、
［Ｃ１８］に記載の装置（１３００）。
［Ｃ２３］
前記少なくとも１つの現在のロスパラメータは、
前記１つのワイヤレスノードに割り当てられた空間ストリーム（ＳＳ）の総数、
前記複数のワイヤレスノードに割り当てられた空間ストリームの総数、
前記複数ワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記ワイヤレスノードに割り当てられた信号対雑音比（ＳＮＲ）オフセット値
の何れかである、［Ｃ１８］に記載の装置（１３００）。
［Ｃ２４］
ワイヤレス通信システム（１００）の送信パラメータを適応させる装置（１２００）であって、
複数のワイヤレスノード（１２０ｄ、１２０ｅ）から多重データストリーム（１６０，１７０）の現在の同時送信のための少なくとも１つの現在のロスパラメータを決定するための手段（１２１０）と、
前記複数ワイヤレスノード（１２０ｄ，１２０ｅ）のうちの１つのワイヤレスノード（１２０ｄ）に前記少なくとも１つの現在のロスパラメータを含むメッセージを送信（１２２０）し、ここにおいて、前記メッセージは、前記１つのワイヤレスノード（１２０ｄ）の割り当てを決定するために使用することができる、
前記１つのワイヤレスノード（１２０ｄ）から少なくとも１つのデータストリーム（１６０）を受信（１２３０）する
ように構成された少なくとも１つのアンテナ（２２４ａ−２２４ａｐ）と
を備え、現在の送信パラメータ（４１０）に従って受信された前記少なくとも１つのデータストリームは、前記現在のロスパラメータからの少なくとも一部に基づいて前記１つのワイヤレスノード（１２０ｄ）で決定される、
装置。
［Ｃ２５］
前記メッセージは、送信可能メッセージ（ＣＴＸ）および送信スタートメッセージ（ＴＸＳ）のうちの何れかである、
［Ｃ２４］に記載の方法（１２００）。
［Ｃ２６］
前記少なくとも１つの現在のロスパラメータは、
前記１つのワイヤレスノードに割り当てられた空間ストリーム（ＳＳ）の総数、
前記複数のワイヤレスノードに割り当てられた空間ストリーム（ＳＳ）の総数、
前記複数のワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記１つのワイヤレスノードに割り当てられた信号対雑音比（ＳＮＲ）オフセット値、
のうちの何れかである、［Ｃ２４記載の装置（１２００）。
［Ｃ２７］
その上に格納された命令を有するコンピュータ可読媒体（１４０６）を備える、ワイヤレス通信システム（１００）の送信パラメータを適応するためのコンピュータプログラム製品であって、
前記命令は、１つまたは複数のプロセッサ（１４０４）によって実行され、
多重データストリーム（１６０，１７０）の現在の同時送信に参加している複数のワイヤレスノード（１２０ｄ、１２０ｅ）のうちの１つのワイヤレスノード（１２０ｄ）でメッセージを受信（１０１０）し、ここにおいて、前記メッセージは、前記１つのワイヤレスノード（１２０ｄ）のための割り当てを決定するために使用可能な少なくとも１つの現在のロスパラメータを含む、
前記少なくとも１つの現在のロスパラメータの少なくとも一部に基づいて前記現在の同時送信に対する前記１つのワイヤレスノード（１２０ｄ）のための現在の送信パラメータ（４１０）を決定（１０３０）し、
前記現在の送信パラメータ（４１０）に従う前記現在の同時送信のための少なくとも１つのデータストリーム（１６０）を前記１つのワイヤレスノード（１２０ｄ）から送信（１０４０）する
ための命令を備える、コンピュータプログラム製品。
［Ｃ２８］
前記現在の送信パラメータを決定するための命令は、
前の送信のための少なくとも１つの前のロスパラメータの検索（５１０）し、
前記前の送信のための前の送信パラメータ（４３０）を検索（５２０）し、
前記前の送信パラメータ（４３０）、前記少なくとも１つの前ロスパラメータ、および前記少なくとも１つの現在のロスパラメータに基づいて前記現在の送信パラメータ（４１０）を決定（５３０）する
ための命令を含む、［Ｃ２７］に記載のコンピュータプログラム製品。
［Ｃ２９］
前記現在の送信パラメータを決定するための前記命令は、
前記前の送信パラメータとして前記現在の送信パラメータを記憶（５５０）し、
前記前のロスパラメータとして前記少なくとも１つの現在のロスパラメータを記憶（５４０）する
ための命令を含む、［Ｃ２８］に記載のコンピュータプログラム製品。
［Ｃ３０］
前記メッセージは、送信可能メッセージ（ＣＴＸ）および送信スタートメッセージ（ＴＸＳ）の何れかである、
［Ｃ２７］に記載のコンピュータプログラム製品。
［Ｃ３１］
前記現在の送信パラメータは、変調および符号化方式（ＭＣＳ）、および送信電力レベルの何れかである、
［Ｃ２７］に記載のコンピュータプログラム製品。
［Ｃ３２］
前記少なくとも１つの現在のロスパラメータは、
前記１つのワイヤレスノードに割り当てられた空間ストリーム（ＳＳ）の総数、
前記複数のワイヤレスノードに割り当てられた空間ストリームの総数、
前記複数ワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記ワイヤレスノードに割り当てられた信号対雑音比（ＳＮＲ）オフセット値
の何れかである、［Ｃ２７］に記載のコンピュータプログラム製品。
［Ｃ３３］
前の送信に関連したパケットロスを決定（１１１０）し、
前記前の送信のための前記パケットロスの少なくとも一部に基づいて前記現在の同時送信のための前記現在の送信パラメータ（４３０）を決定（１１２０）する
ための命令をさらに備える、［Ｃ２７］に記載のコンピュータプログラム製品。
［Ｃ３４］
その上に格納された命令を有するコンピュータ可読媒体（１４０６）を備える、ワイヤレス通信システム（１００）の送信パラメータを適応するためのコンピュータプログラム製品であって、
前記命令は、１つまたは複数のプロセッサ（１４０４）によって実行され、
複数のワイヤレスノード（１２０ｄ、１２０ｅ）から多重データストリーム（１６０，１７０）の現在の同時送信のための少なくとも１つの現在のロスパラメータを決定（９１０）し、
前記複数ワイヤレスノード（１２０ｄ，１２０ｅ）のうちの１つのワイヤレスノード（１２０ｄ）に前記少なくとも１つの現在のロスパラメータを含むメッセージを送信（９３０）し、ここにおいて、前記メッセージは、前記１つのワイヤレスノード（１２０ｄ）の割り当てを決定するために使用することができる、
前記１つのワイヤレスノード（１２０ｄ）から少なくとも１つのデータストリーム（１６０）を受信（９４０）する
ための命令を備え、現在の送信パラメータ（４１０）に従って受信された前記少なくとも１つのデータストリーム（１６０）は、前記現在のロスパラメータからの少なくとも一部に基づいて前記１つのワイヤレスノード（１２０ｄ）で決定される、
コンピュータプログラム製品。
［Ｃ３５］
前記メッセージは、送信可能メッセージ（ＣＴＸ）および送信スタートメッセージ（ＴＸＳ）のうちの何れかである、
［Ｃ３４］に記載のコンピュータプログラム製品。
［Ｃ３６］
前記少なくとも１つの現在のロスパラメータは、
前記１つのワイヤレスノードに割り当てられた空間ストリーム（ＳＳ）の総数、
前記複数のワイヤレスノードに割り当てられた空間ストリーム（ＳＳ）の総数、
前記複数のワイヤレスノードの各ワイヤレスノードに割り当てられた送信電力バックオフ、
前記複数のワイヤレスノードの各ワイヤレスノードに割り当てられた送信電力値、
前記１つのワイヤレスノードに割り当てられた送信電力バックオフ、
前記１つのワイヤレスノードに割り当てられた送信電力値、
前記現在の同時送信のために割り当てられたワイヤレスノードの総数、
前記１つのワイヤレスノードに割り当てられた信号対雑音比（ＳＮＲ）オフセット値、
のうちの何れかである、［Ｃ３４］に記載のコンピュータプログラム製品。
【図１】
0005607184.tif 000002
【図２】
0005607184.tif 000003
【図３】
0005607184.tif 000004
【図４】
0005607184.tif 000005
【図５】
0005607184.tif 000006
【図６】
0005607184.tif 000007
【図７】
0005607184.tif 000008
【図８】
0005607184.tif 000009
【図９】
0005607184.tif 000010
【図１０】
0005607184.tif 000011
【図１１】
0005607184.tif 000012
【図１２】
0005607184.tif 000013
【図１３】
0005607184.tif 000014
【図１４】
0005607184.tif 000015